(57)【特許請求の範囲】
【請求項１】
着用者からの排泄物を受ける吸収性物品であって、
吸収コアと、
前記吸収コアの一方の主面を覆うトップシートと、
前記吸収コアの他方の主面を覆うバックシートと、
前記トップシートの両側部上において前記トップシートの長手方向に伸びる一対の側壁部と、
を備え、
前記一対の側壁部のそれぞれが、
前記長手方向における中央において前記トップシートから起立する起立部と、
前記長手方向における両端部において前記トップシート上に固定される２つの側壁端部と、
前記長手方向に沿って前記起立部に接合され、収縮することによりギャザーを形成する弾性部材と、
を備え、
前記一対の側壁部の前記起立部が、前記トップシート上にて起倒可能とされ、前記トップシート上に倒伏することにより前記トップシートの一部を覆う部分被覆シートであり、
前記部分被覆シートに接合されて前記トップシートと対向し、補助吸収具が前記トップシート上に取り付けられる際に、前記補助吸収具の一対の補助吸収具サイドシートに係合して前記補助吸収具の位置を固定するフック部材が設けられることを特徴とする吸収性物品。
【請求項２】
着用者からの排泄物を受けるパンツタイプの吸収性物品であって、
吸収コア、前記吸収コアの一方の主面を覆うトップシート、および、前記吸収コアの他方の主面を覆うバックシートを有する吸収体と、
前記トップシートの前記長手方向の一方側に配置されて前記バックシートまたは前記バックシートに連続するシートに接合されるとともに前記バックシートまたは前記バックシートに連続する前記シートとの間に前記吸収体の長手方向の端部を全幅に亘って挟んで固定する２つのエンドシートと、
を備え、
前記２つのエンドシートのうち一方のエンドシートの一部が、前記トップシート上にて起倒可能とされ、前記トップシート上に倒伏することにより前記トップシートの一方の端部を覆う部分被覆シートであり、
前記部分被覆シートと前記トップシートとの間に配置され、補助吸収具が前記トップシート上に取り付けられる際に、前記補助吸収具に係合して前記補助吸収具の位置を固定するフック部材が設けられることを特徴とする吸収性物品。
【請求項３】
請求項２に記載の吸収性物品であって、
前記フック部材が、前記トップシート上に接合されて前記部分被覆シートと対向することを特徴とする吸収性物品。
【請求項４】
請求項３に記載の吸収性物品であって、
前記部分被覆シートの前記フック部材と対向する面がプラスチックフィルムにて形成されることを特徴とする吸収性物品。
【請求項５】
請求項２に記載の吸収性物品であって、
前記フック部材が、前記部分被覆シートに接合されて前記トップシートと対向することを特徴とする吸収性物品。
【請求項６】
請求項２ないし５のいずれかに記載の吸収性物品であって、
前記２つのエンドシートのうち他方のエンドシートの一部が、前記トップシート上にて起倒可能とされ、前記トップシート上に倒伏することにより前記トップシートの他方の端部を覆う他の部分被覆シートであり、
前記他の部分被覆シートと前記トップシートとの間に配置され、前記補助吸収具が前記トップシート上に取り付けられる際に、前記補助吸収具に係合して前記補助吸収具の位置を固定する他のフック部材が設けられることを特徴とする吸収性物品。
【請求項７】
請求項１ないし６のいずれかに記載の吸収性物品であって、
前記フック部材が、角部が除去された形状であることを特徴とする吸収性物品。
【発明の詳細な説明】
【技術分野】
【０００１】
本発明は、着用者からの排泄物を受ける吸収性物品に関する。
【背景技術】
【０００２】
使い捨ておむつでは、少量の排尿時であってもおむつ全体を交換する必要があるため、使用者にとって経済的な負担が大きくなってしまう。そこで、従来より、使い捨ておむつの内側において安価な補助吸収具により着用者の排泄部を覆い、少量の排尿時には補助吸収具のみを交換することが行われている。
【０００３】
このような補助吸収具の１つとして、使い捨ておむつの内側に取り付けられるシート状の尿取りパッドが利用されており、尿取りパッドの取り付けの際には、尿取りパッドのバックシート上に設けられた面ファスナや粘着テープ等の止着部を、使い捨ておむつのトップシート上に止着することが行われている。
【０００４】
一方、特許文献１では、パンツタイプの使い捨ておむつにおいて、吸収体の上面を被覆するトップシート上にメカニカルファスナを設け、当該メカニカルファスナを尿取りパッドのバックシートに係合させることにより、尿取りパッドを使い捨ておむつに固定する技術が開示されている。これにより、比較的高価なメカニカルファスナを尿取りパッドに設ける必要がなくなるため、尿取りパッドの製造コストが低減される。
【先行技術文献】
【特許文献】
【０００５】
【特許文献１】特開２００７−２４４５０６号公報
【発明の概要】
【発明が解決しようとする課題】
【０００６】
ところで、一般的な使い捨ておむつは、内側に尿取りパッドを取り付けることなく単独で使用される場合もある。しかしながら、特許文献１の使い捨ておむつを単独で使用した場合、メカニカルファスナが着用者の肌に直接接触するため、体圧によりメカニカルファスナが着用者の肌に押しつけられたり、着用者が動く際にメカニカルファスナにより肌が擦られたりすると、痛み等の不快感が生じ、使い捨ておむつの着用感が低下してしまう。
【０００７】
本発明は、上記課題に鑑みなされたものであり、補助吸収具が取り付け可能な吸収性物品において、補助吸収具を使用しない場合に、フック部材の着用者への接触による着用感の低下を防止することを目的としている。
【課題を解決するための手段】
【０００８】
請求項１に記載の発明は、着用者からの排泄物を受ける吸収性物品であって、吸収コアと、前記吸収コアの一方の主面を覆うトップシートと、前記吸収コアの他方の主面を覆うバックシートと、前記トップシートの両側部上において前記トップシートの長手方向に伸びる一対の側壁部とを備え、前記一対の側壁部のそれぞれが、前記長手方向における中央において前記トップシートから起立する起立部と、前記長手方向における両端部において前記トップシート上に固定される２つの側壁端部と、前記長手方向に沿って前記起立部に接合され、収縮することによりギャザーを形成する弾性部材とを備え、前記一対の側壁部の前記起立部が、前記トップシート上にて起倒可能とされ、前記トップシート上に倒伏することにより前記トップシートの一部を覆う部分被覆シートであり、前記部分被覆シートに接合されて前記トップシートと対向し、補助吸収具が前記トップシート上に取り付けられる際に、前記補助吸収具の一対の補助吸収具サイドシートに係合して前記補助吸収具の位置を固定するフック部材が設けられる。
請求項２に記載の発明は、着用者からの排泄物を受けるパンツタイプの吸収性物品であって、吸収コア、前記吸収コアの一方の主面を覆うトップシート、および、前記吸収コアの他方の主面を覆うバックシートを有する吸収体と、前記トップシートの前記長手方向の一方側に配置されて前記バックシートまたは前記バックシートに連続するシートに接合されるとともに前記バックシートまたは前記バックシートに連続する前記シートとの間に前記吸収体の長手方向の端部を全幅に亘って挟んで固定する２つのエンドシートとを備え、前記２つのエンドシートのうち一方のエンドシートの一部が、前記トップシート上にて起倒可能とされ、前記トップシート上に倒伏することにより前記トップシートの一方の端部を覆う部分被覆シートであり、前記部分被覆シートと前記トップシートとの間に配置され、補助吸収具が前記トップシート上に取り付けられる際に、前記補助吸収具に係合して前記補助吸収具の位置を固定するフック部材が設けられる。
【０００９】
請求項３に記載の発明は、請求項２に記載の吸収性物品であって、前記フック部材が、前記トップシート上に接合されて前記部分被覆シートと対向する。
【００１０】
請求項４に記載の発明は、請求項３に記載の吸収性物品であって、前記部分被覆シートの前記フック部材と対向する面がプラスチックフィルムにて形成される。
【００１１】
請求項５に記載の発明は、請求項２に記載の吸収性物品であって、前記フック部材が、前記部分被覆シートに接合されて前記トップシートと対向する。
請求項６に記載の発明は、請求項２ないし５のいずれかに記載の吸収性物品であって、前記２つのエンドシートのうち他方のエンドシートの一部が、前記トップシート上にて起倒可能とされ、前記トップシート上に倒伏することにより前記トップシートの他方の端部を覆う他の部分被覆シートであり、前記他の部分被覆シートと前記トップシートとの間に配置され、前記補助吸収具が前記トップシート上に取り付けられる際に、前記補助吸収具に係合して前記補助吸収具の位置を固定する他のフック部材が設けられる。
【００１６】
請求項７に記載の発明は、請求項１ないし６のいずれかに記載の吸収性物品であって、前記フック部材が、角部が除去された形状である。
【発明の効果】
【００１７】
本発明では、補助吸収具を使用しない場合に、フック部材の着用者への接触による着用感の低下を防止することができる。
【図面の簡単な説明】
【００１８】
【図１】関連技術に係る吸収性物品の平面図である。
【図２】吸収性物品の断面図である。
【図３】吸収性物品の断面図である。
【図４】吸収性物品および補助吸収具の断面図である。
【図５】第１の実施の形態に係る吸収性物品の断面図である。
【図６】第２の実施の形態に係る吸収性物品の外観を示す斜視図である。
【図７】吸収性物品を展開した状態にて示す平面図である。
【図８】吸収性物品の断面図である。
【図９】吸収性物品および補助吸収具の断面図である。
【図１０】第３の実施の形態に係る吸収性物品および補助吸収具の断面図である。
【発明を実施するための形態】
【００１９】
図１は、本発明に関連する技術に係る吸収性物品１を広げた状態にて示す平面図である。吸収性物品１は、着用者の腹側に当接する部位と背側に当接する部位とを止着テープにより腰回りで止着して着用するテープタイプの使い捨ておむつであり、着用者からの排泄物を受ける。図１では、着用時に着用者に接する側（すなわち、着用者側）の面を手前にして吸収性物品１を描いている。
【００２０】
図２は、吸収性物品１を図１中に示すＡ−Ａの位置にて長手方向（すなわち、図１中における上下方向）に垂直な面で切断した断面図である。図１および図２に示すように、吸収性物品１は、略シート状の本体部２、および、本体部２の両側部上（すなわち、図１および図２中における左右方向の両側）に配置されて本体部２の長手方向のおよそ全長に亘る一対のサイドシート３を備える。吸収性物品１は、図１に示すように、本体部２の長手方向の一方の端部近傍において、本体部２の長手方向に垂直な幅方向の両側に取り付けられた一対の止着テープ２４をさらに備える。図２では、図示の都合上、吸収性物品１の各構成を離して描いている。
【００２１】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「股下部２０２」と呼ぶ。吸収性物品１では、本体部２が前方部２０１、股下部２０２および後方部２０３を長手方向に順に有し、前方部２０１および後方部２０３の幅は、股下部２０２の幅よりも大きい。また、一対の止着テープ２４は、後方部２０３の幅方向の両側に取り付けられ、吸収性物品１が着用者に装着される際には、前方部２０１の外面（すなわち、着用者に接する面とは反対側の面）に止着される。
【００２２】
図１および図２に示すように、本体部２は、吸収コア２２、吸収コア２２の一方の主面（すなわち、着用者側の主面）を覆うトップシート２１、および、吸収コア２２の他方の主面を覆うバックシート２３を備え、トップシート２１は、吸収コア２２の周りにおいてホットメルト接着剤を介してバックシート２３に接合される。図２では、図示の都合上、吸収性物品１の各構成を離して描いている。また、図１では、図の理解を容易にするために、トップシート２１とバックシート２３との間に配置された吸収コア２２の輪郭を太破線にて描いている。図１に示すように、前方部２０１および後方部２０３における吸収コア２２の幅は、股下部２０２における吸収コア２２の幅よりも大きい。換言すれば、吸収コア２２は、いわゆる砂時計型とされる。
【００２３】
図２に示すように、サイドシート３の幅方向の外側の部位３３は、バックシート２３のトップシート２１から露出する部位、および、トップシート２１の幅方向のエッジ近傍の部位に、長手方向の全長に亘ってホットメルト接着剤を介して接合される。以下の説明では、一対のサイドシート３のそれぞれの外側の部位３３を「接合部３３」といい、接合部３３の幅方向の内側において接合部３３に連続する部位３４を「側壁部３４」という。サイドシート３とトップシート２１との接合や上述のトップシート２１とバックシート２３との接合は、熱融着接合や超音波接合等により行われてもよい。
【００２４】
一対の側壁部３４はそれぞれ、トップシート２１の両側部上においてトップシート２１の長手方向のおよそ全長に亘って伸びており、図１に示すように、長手方向における両端部において熱融着接合または超音波接合、あるいは、ホットメルト接着剤による接着によりトップシート２１上に固定される２つの側壁端部３４１を備える。また、一対の側壁部３４はそれぞれ、図２に示すように、長手方向における中央において２つの側壁端部３４１（図１参照）から連続するとともにトップシート２１から起立する起立部３４２、および、起立部３４２の自由端近傍において長手方向に沿ってホットメルト接着剤により接合される弾性部材３２ａをさらに備える。各サイドシート３では、接合部３３および側壁部３４の全体に亘る第１シート３５１の内側の面（すなわち、トップシート２１に対向する面）に、起立部３４２のおよそ全体に亘る第２シート３５２が積層される。
【００２５】
吸収性物品１では、各サイドシート３の接合部３３とバックシート２３との間に、長手方向に伸びる２本の弾性部材３２ｂが配置され、ホットメルト接着剤によりサイドシート３およびバックシート２３に接合される。図１および図２に示す吸収性物品１が着用される際には、弾性部材３２ｂが収縮することにより、サイドシート３およびバックシート２３が着用者側かつ内側に向かって立ち上がってレッグギャザーが形成され、吸収性物品１が着用者の足の付け根近傍に密着する。また、各サイドシート３の弾性部材３２ａが収縮することにより、起立部３４２が着用者に向かって起立し、着用者の脚の付け根近傍に当接する立体ギャザーとなる。吸収性物品１では、一対の起立部３４２がそれぞれ、トップシート２１上にて起倒可能とされるとともにトップシート２１に倒伏することによりトップシート２１の一部を覆う部分被覆シートとして機能する。なお、図１では倒伏状態の起立部３４２を描いている。
【００２６】
本体部２の長手方向の両端部にはそれぞれ、トップシート２１とバックシート２３とに挟まれるとともに幅方向に伸びる３本の弾性部材２５が設けられる。吸収性物品１では、伸張状態にてトップシート２１およびバックシート２３に接合された弾性部材２５が収縮することによりウエストギャザーが形成され、吸収性物品１の着用時に本体部２が着用者の腰回りに密着する。このように、弾性部材３２ａ，３２ｂ、並びに、弾性部材２５により吸収性物品１が着用者に密着することにより、脚周り、股間、腹側および背側からの尿等の漏出が防止される。
【００２７】
図３は、吸収性物品１を図１中のＢ−Ｂの位置にて長手方向に垂直な面で切断した断面図である。吸収性物品１は、図１および図３に示すように、一対のサイドシート３の起立部３４２と本体部２のトップシート２１との間に配置される４つのフック部材６をさらに備える。フック部材６は、不織布等の繊維と係合可能なフック構造を有する面ファスナであり、後述するように、尿取りパッド等の補助吸収具が吸収性物品１の内側（すなわち、着用者側）にてトップシート２１上に取り付けられる際に、補助吸収具に係合して補助吸収具の位置を固定する。
【００２８】
図１に示すように、各フック部材６は平面視において略矩形であり、角部が除去された形状（いわゆる、面取りされた形状）である。４つのフック部材６のうち２つのフック部材６は、一方のサイドシート３の下方において、吸収性物品１の前方部２０１および後方部２０３の端部近傍にて吸収コア２２と重なる位置にそれぞれ配置され、他の２つのフック部材６は、他方のサイドシート３の下方において、前方部２０１および後方部２０３の端部近傍にて吸収コア２２と重なる位置にそれぞれ配置される。各フック部材６は、図３に示すように、トップシート２１上に熱融着接合または超音波接合、あるいは、ホットメルト接着剤による接着により接合されて倒伏状態の起立部３４２と対向する。フック部材６では、上記フック構造は起立部３４２と対向する露出面に形成される。
【００２９】
トップシート２１は、透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００３０】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。図１に示す例では、吸収コア２２はパルプ繊維およびＳＡＰを含む。
【００３１】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、これらの不織布とプラスチックフィルムとが積層された積層シートが利用され、バックシート２３に到達した排泄物の水分等が、本体部２の外側にしみ出すことが防止される。バックシート２３にプラスチックフィルムが利用される場合、吸収性物品１のムレを防止して着用者の快適性を向上するという観点からは、透湿性（通気性）を有するプラスチックフィルムが利用されることが好ましい。
【００３２】
サイドシート３のシート本体としては、疎水性繊維にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用される。図２および図３に示す第１シート３５１は不織布により形成され、起立部３４２の第２シート３５２はプラスチックフィルムにより形成される。換言すれば、起立部３４２がトップシート２１上に倒伏した状態において、フック部材６と対向する起立部３４２の面がプラスチックフィルムにて形成される。図１に示す弾性部材３２ａ，３２ｂ，２５としては、例えば、ポリウレタン糸、帯状のポリウレタンフィルム、糸状または帯状の天然ゴム等が利用され、図２に示す例では、ポリウレタン糸が各弾性部材として利用される。
【００３３】
図４は、着用者が着用する外装物品の１つである吸収性物品１の内側に、着用者からの排泄物を受ける補助吸収具７が取り付けられた状態を示す断面図であり、上述の図３の断面に対応する。図４に示すように、補助吸収具７は、略シート状の補助吸収具本体部７２、および、補助吸収具本体部７２の両側部上（すなわち、幅方向の両側）において補助吸収具本体部７２の長手方向のおよそ全長に亘る一対の補助吸収具サイドシート７３を備える。補助吸収具７の平面視における形状は、いわゆる砂時計型または略矩形である。
【００３４】
補助吸収具本体部７２は、トップシート７２１、バックシート７２３、および、トップシート７２１とバックシート７２３との間に配置された吸収コア７２２を備える。補助吸収具７の長手方向の長さは、図１に示す吸収性物品１の吸収コア２２の長手方向の長さにおよそ等しい。補助吸収具７にて受けられた着用者からの排泄物は、補助吸収具サイドシート７３により、補助吸収具７の外部、および、吸収性物品１の外部へと漏出することが防止される。
【００３５】
補助吸収具７が吸収性物品１に取り付けられる際には、補助吸収具７の両側部が、吸収性物品１のトップシート２１と一対の起立部３４２との間に挿入される。そして、吸収性物品１のトップシート２１上に接合されたフック部材６が、撥水性または不透液性の不織布により形成された（あるいは、当該不織布が外面に設けられた積層シートにより形成された）補助吸収具７のバックシート７２３に係合することにより、補助吸収具７の吸収性物品１に対する相対位置が固定される。その結果、補助吸収具７が吸収性物品１の内側でずれて排泄物が補助吸収具７の外部に漏出することが防止される。
【００３６】
吸収性物品１では、左右両側に配置される一対の起立部３４２とトップシート２１とのそれぞれの間にフック部材６が配置されることにより、補助吸収具７を吸収性物品１に対して強固に取り付けることができる。上述のように、補助吸収具７の長さは吸収性物品１の吸収コア２２の長さにおよそ等しいため、フック部材６は補助吸収具７の４つの角部近傍に係合される。これにより、補助吸収具７のずれをより確実に防止することができるとともに、補助吸収具７の角部が縒れたり丸まってしまうことを防止することもできる。また、吸収性物品１にフック部材６を設けることにより、比較的高価なフック部材を補助吸収具７に設ける必要がなくなるため、補助吸収具７の製造コストを低減することができる。その結果、補助吸収具７の販売価格を低減することができ、吸収性物品１に比べて交換頻度が高い補助吸収具７の使用に係るコストを低減することができる。
【００３７】
ところで、吸収性物品１は、内側に補助吸収具７を取り付けることなく単独で使用される場合もある。上述のように、吸収性物品１では、図３に示すように、フック部材６が本体部２のトップシート２１と部分被覆シートである起立部３４２との間に配置されるため、補助吸収具７が取り付けられていない状態の吸収性物品１が着用者に装着される際に、フック部材６が起立部３４２により覆われ、着用者の肌に直接接触することが防止される。その結果、補助吸収具７を使用しない場合に、着用者の肌がフック部材６に接触することにより生じる痛み等の不快感を防止し、吸収性物品１の着用感の低下を防止することができる。
【００３８】
また、各フック部材６が、図１に示すように、吸収性物品１の前方部２０１の端部または後方部２０３の端部近傍に配置されており、前方部２０１の端部近傍および後方部２０３の端部近傍では、股下部２０２に比べて起立部３４２の立ち上がりが小さいため、起立部３４２が起立した状態においても、フック部材６が着用者に対して露出することがより確実に防止される。
【００３９】
一方、吸収性物品１では、必ずしもフック部材６全体が常に起立部３４２により被覆されているとは限らず、着用者の動き等により起立部３４２が変形する等してフック部材６の端部が僅かに起立部３４２から露出する可能性がある。また、起立部３４２が下側から着用者に強く押しつけられる場合もある。このような場合であっても、フック部材６が、角部が除去された形状であるため、着用者の肌がフック部材６の端部に直接的または間接的に接触することにより生じる着用感の低下を防止することができる。
【００４０】
吸収性物品１では、図３に示すように、サイドシート３において、起立部３４２のフック部材６と対向する面（すなわち、起立部３４２の第２シート３５２の内面）がプラスチックフィルムにて形成される。これにより、吸収性物品１を装着する際に、起立部３４２をフック部材６から速やかに離間させて起立させることができる。
【００４１】
上述のように、吸収性物品１では、側壁部３４の起立部３４２がフック部材６を被覆する部分被覆シートとして利用される。着用者からの排泄物を受ける吸収性物品では、排泄物の側方からの漏出（いわゆる、横漏れ）を防止するための側壁部が、様々な種類の吸収性物品に設けられるため、吸収性物品１の構造は、多種多様な吸収性物品に対して容易に適用することができる。例えば、上端に胴部開口を有し、下部に一対の脚部開口を有するパンツタイプの使い捨ておむつや、内側に小型の補助吸収具が取り付けられる比較的大型の補助吸収具等に、吸収性物品１の構造を容易に適用することができる。
【００４２】
次に、本発明の第１の実施の形態に係る吸収性物品について説明する。図５は、第１の実施の形態に係る吸収性物品１ａ、および、吸収性物品１ａに取り付けられた補助吸収具７の断面図であり、上述の図４に対応する。図５に示す吸収性物品１ａは、図３に示す吸収性物品１のサイドシート３からプラスチックフィルムにより形成された第２シート３５２が省略される点、および、フック部材６がサイドシート３の起立部３４２に接合される点を除き、図１ないし図３に示す吸収性物品１と同様の構造を有する。以下の説明では、吸収性物品１ａの吸収性物品１と対応する構造に同符号を付す。また、図５中の補助吸収具７の構造は、上述したものと同様である。
【００４３】
吸収性物品１ａでは、図１に示す吸収性物品１と同様に、４つのフック部材６が、一対のサイドシート３の起立部３４２と本体部２のトップシート２１との間に配置される。これらのフック部材６は、一対の起立部３４２の内面（すなわち、本体部２に対向する面）に接合され、不織布により形成された一対の補助吸収具サイドシート７３の外面（すなわち、補助吸収具本体部７２に対向する面とは反対側の面）に係合する。これにより、補助吸収具７の吸収性物品１ａに対する相対位置が固定され、排泄物が補助吸収具７の外部に漏出することが防止される。なお、補助吸収具７に補助吸収具サイドシート７３が設けられていない場合、吸収性物品１ａのフック部材６は、補助吸収具７の不織布により形成されたトップシート７２１に係合する。
【００４４】
一方、吸収性物品１ａが、内側に補助吸収具７を取り付けることなく単独で使用される場合、起立部３４２の内面に接合されたフック部材６は、本体部２のトップシート２１と対向しており、図１に示す吸収性物品１と同様に、着用者の肌に直接接触することが防止される。その結果、着用者の肌がフック部材６に接触することにより生じる痛み等の不快感が防止され、吸収性物品１ａの着用感の低下を防止することができる。
【００４５】
吸収性物品１ａでは、フック部材６が、部分被覆シートである起立部３４２の内面に接合されることにより、フック部材６が着用者に対して露出することがより確実に防止される。また、補助吸収具７のバックシート７２３の外面が、プラスチックフィルム等のフック部材６と係合不能な材料により形成されている場合であっても、フック部材６により補助吸収具７を固定することができる。一方、図１に示す吸収性物品１では、フック部材６が本体部２のトップシート２１上に接合されることにより、吸収性物品１ａに比べて吸収性物品１の製造を簡素化することができる。
【００４６】
次に、本発明の第２の実施の形態に係る吸収性物品について説明する。図６は、第２の実施の形態に係る吸収性物品１ｂの外観を示す斜視図である。図６に示すように、吸収性物品１ｂは、図６中の上側の端部である上端に胴部開口１１を有し、下部に一対の脚部開口１２を有するパンツタイプの使い捨ておむつであり、着用者からの排泄物を受ける。
【００４７】
図７は、吸収性物品１ｂを展開した状態で着用者側から見た平面図である。図７に示すように、吸収性物品１ｂは、外装シート４、外装シート４上（すなわち、外装シート４の着用者側）に取り付けられて着用者からの排泄物を吸収する略シート状の吸収体２０、および、吸収体２０の長手方向（すなわち、図７中における縦方向であり、後述するトップシート２１の長手方向でもある。）の両側に配置されて外装シート４上に接合されるとともに外装シート４との間に吸収体２０の長手方向の端部を挟んで固定する２つのエンドシート５を備える。
【００４８】
図６に示すように、吸収性物品１ｂでは、外装シート４が吸収体２０と共に股下部２０２にて折り曲げられ、股下部２０２を下側に向けた際の前方部２０１の左右両側の部位（すなわち、長手方向に垂直な幅方向の両側の部位）が、後方部２０３の左右両側の部位にそれぞれ接合されることにより、前方部２０１および後方部２０３の上端に胴部開口１１が形成され、前方部２０１および後方部２０３の下側において股下部２０２の左右に一対の脚部開口１２が形成される。これにより、吸収性物品１ｂがパンツ型に形成される。
【００４９】
図７に示すように、吸収体２０は、略シート状の本体部２、および、本体部２の両側部上に配置されて本体部２の長手方向のおよそ全長に亘る一対のサイドシート３を備える。サイドシート３の構造は、側壁部３４の起立部３４２から第２シート３５２（図２および図３参照）が省略される点を除き、図１に示す吸収性物品１とほぼ同様である。
【００５０】
図８は、吸収性物品１ｂを図７中のＣ−Ｃの位置にて切断した断面図である。図８に示すように、本体部２は、図１に示す吸収性物品１と同様に、トップシート２１、バックシート２３、および、トップシート２１とバックシート２３との間に配置された吸収コア２２を備える。図７では、図の理解を容易にするために吸収コア２２の輪郭を太破線にて描いている。図７に示すように、吸収コア２２の長手方向の両端部における幅は、吸収コア２２の長手方向の中央部における幅よりも大きく、本体部２の幅はおよそ一定である。
【００５１】
図８に示すように、外装シート４は、第１外装シート４１、および、第１外装シート４１の下側（すなわち、着用者とは反対側）にて第１外装シート４１に積層される第２外装シート４２を備え、第２外装シート４２の長手方向の両端部は上側（すなわち、着用者側）に折り返され、第１外装シート４１上に接合されたエンドシート５上に接合される。外装シート４は、第１外装シート４１と第２外装シート４２との間、または、長手方向の両端部で折り返されて２層構造となっている第２外装シート４２の間に配置される複数の脚部弾性部材４３、および、複数の胴部弾性部材４４を備える。
【００５２】
図７および図８に示す脚部弾性部材４３および胴部弾性部材４４は、伸張状態にて第１外装シート４１および第２外装シート４２に接合される。吸収性物品１ｂでは、脚部弾性部材４３が収縮することにより第１外装シート４１および第２外装シート４２が収縮されてレッグギャザーが形成され、胴部弾性部材４４が収縮することにより胴部ギャザーが形成される。図８に示すように、第１外装シート４１上には、吸収体２０のバックシート２３がホットメルト接着剤等により接合され、外装シート４はバックシート２３に実質的に連続するとともにバックシート２３から長手方向の両側に広がるシートとなっている。
【００５３】
吸収性物品１ｂでは、図８に示すように、各エンドシート５の一部（具体的には、吸収体２０に近い方の長手方向の端部５１）が、トップシート２１上にて起倒可能とされ、トップシート２１上に倒伏することによりトップシート２１の長手方向の端部を被覆する部分被覆シートとなっている。各エンドシート５の端部５１とトップシート２１との間にはフック部材６ａが配置される。フック部材６ａは、トップシート２１上に接合され、倒伏状態のエンドシート５の端部５１と対向する。
【００５４】
フック部材６ａは、図１に示すフック部材６と同様に、不織布等の繊維と係合可能なフック構造を、エンドシート５と対向する露出面に有する面ファスナであり、図７に示すように、その形状は吸収性物品１ｂの幅方向に伸びる帯状であって角部が除去された形状となっている。また、エンドシート５は、図８に示すように、エンドシート５の全体に亘る不織布により形成された第１シート５２、および、第１シート５２の下面に積層されて接合されたプラスチックフィルムにより形成された第２シート５３を備える。換言すれば、エンドシート５の端部５１がトップシート２１上に倒伏した状態において、当該端部５１のフック部材６ａと対向する面がプラスチックフィルムにより形成される。
【００５５】
エンドシート５は、トップシート２１と同様に透液性のシート材料、例えば、親水性繊維により形成された不織布により形成される。エンドシート５として利用される不織布は、例えば、ポイントボンド不織布やエアスルー不織布、スパンレース不織布であり、これらの不織布を形成する親水性繊維としては通常、セルロースやレーヨン、コットン等が用いられる。なお、エンドシート５として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００５６】
外装シート４の第１外装シート４１および第２外装シート４２としては、バックシート２３と同様に、疎水性繊維にて形成された撥水性または不透液性の不織布やプラスチックフィルムが利用され、あるいは、これらの不織布とプラスチックフィルムとが積層された積層シートが利用される。プラスチックフィルムとしては、透湿性（通気性）を有するものが利用されることが好ましい。また、第１外装シート４１および第２外装シート４２として、トップシート２１およびエンドシート５と同様に、親水性繊維により形成された不織布や親水処理した疎水性繊維にて形成された透液性の不織布が利用されてもよい。脚部弾性部材４３および胴部弾性部材４４としては、サイドシート３の弾性部材と同様に、例えば、ポリウレタン糸、帯状のポリウレタンフィルム、糸状または帯状の天然ゴム等が利用され、図７に示す例では、ポリウレタン糸が脚部弾性部材４３および胴部弾性部材４４として利用される。
【００５７】
図９は、吸収性物品１ｂの内側に上述の補助吸収具７が取り付けられた状態を示す断面図であり、上述の図８に対応する。図９に示すように、補助吸収具７が吸収性物品１ｂに取り付けられる際には、補助吸収具７の長手方向の両端部が、吸収性物品１ｂのエンドシート５の端部５１とトップシート２１との間に挿入される。そして、トップシート２１上に接合されたフック部材６ａが、撥水性または不透液性の不織布により形成された（あるいは、当該不織布が外面に設けられた積層シートにより形成された）補助吸収具７のバックシート７２３に係合することにより、図１に示す吸収性物品１と同様に、補助吸収具７の吸収性物品１ｂに対する相対位置が固定される。その結果、補助吸収具７が吸収性物品１ｂの内側でずれて排泄物が補助吸収具７の外部に漏出することが防止される。
【００５８】
吸収性物品１ｂでは、トップシート２１の長手方向の両側において、２つのエンドシート５の端部５１とトップシート２１とのそれぞれの間にフック部材６ａが配置されることにより、補助吸収具７を吸収性物品１ｂに対して強固に取り付けることができる。また、フック部材６ａが、平面視において砂時計型または略矩形状の補助吸収具７において、４つの角部を含む長手方向の端部のおよそ全幅に亘って係合されることにより、補助吸収具７のずれをより確実に防止することができるとともに、補助吸収具７の角部が縒れたり丸まってしまうことを防止することもできる。さらに、比較的高価なフック部材を補助吸収具７に設ける必要がなくなるため、補助吸収具７の製造コストを低減することができる。
【００５９】
吸収性物品１ｂでは、エンドシート５において、端部５１のフック部材６ａと対向する面（すなわち、端部５１の第２シート５３の下面）がプラスチックフィルムにより形成されることにより、吸収性物品１ｂを装着する際に、エンドシート５の端部５１をフック部材６ａから速やかに離間させ、フック部材６ａを補助吸収具７のバックシート７２３に速やかに係合させることができる。
【００６０】
一方、吸収性物品１ｂが補助吸収具７を取り付けることなく単独で使用される場合には、フック部材６ａが本体部２のトップシート２１とエンドシート５の端部５１との間に配置されるため、吸収性物品１ｂが着用者に装着される際に、フック部材６ａがエンドシート５の端部５１により覆われ、着用者の肌に直接接触することが防止される。その結果、図１に示す吸収性物品１と同様に、着用者の肌がフック部材６ａに接触することにより生じる痛み等の不快感を防止し、吸収性物品１ｂの着用感の低下を防止することができる。
【００６１】
次に、本発明の第３の実施の形態に係る吸収性物品について説明する。図１０は、第３の実施の形態に係る吸収性物品１ｃ、および、吸収性物品１ｃに取り付けられた補助吸収具７の断面図であり、図９に対応する。図１０に示す吸収性物品１ｃは、図８に示す吸収性物品１ｂのエンドシート５からプラスチックフィルムにより形成された第２シート５３が省略される点、および、フック部材６ａがエンドシート５の端部５１に接合される点を除き、図７および図８に示す吸収性物品１ｂと同様の構造を有する。以下の説明では、吸収性物品１ｃの吸収性物品１ｂと対応する構造に同符号を付す。また、図１０中の補助吸収具７の構造は、上述したものと同様である。
【００６２】
図１０に示す吸収性物品１ｃでは、図８に示す吸収性物品１ｂと同様に、２つのフック部材６ａが、２つのエンドシート５の端部５１と本体部２のトップシート２１との間に配置される。吸収性物品１ｃでは、フック部材６ａがエンドシート５の端部５１の下面（すなわち、本体部２に対向する面）に接合される。補助吸収具７では、トップシート７２１、および、一対の補助吸収具サイドシート７３（図４参照）が不織布により形成されており、吸収性物品１ｃのフック部材６ａは、補助吸収具７のトップシート７２１、および、一対の補助吸収具サイドシート７３の外面（すなわち、補助吸収具本体部７２に対向する面とは反対側の面）に係合する。これにより、補助吸収具７の吸収性物品１ｃに対する相対位置が固定され、排泄物が補助吸収具７の外部に漏出することが防止される。なお、補助吸収具７に補助吸収具サイドシート７３が設けられていない場合、吸収性物品１ｃのフック部材６は、補助吸収具７のトップシート７２１のみに係合する。
【００６３】
一方、吸収性物品１ｃが、内側に補助吸収具７を取り付けることなく単独で使用される場合、エンドシート５の端部５１の下面に接合されたフック部材６ａは、本体部２のトップシート２１と対向しており、図８に示す吸収性物品１ｂと同様に、着用者の肌に直接接触することが防止される。その結果、着用者の肌がフック部材６ａに接触することにより生じる痛み等の不快感を防止し、吸収性物品１ｃの着用感の低下を防止することができる。
【００６４】
吸収性物品１ｃでは、フック部材６ａが、部分被覆シートであるエンドシート５の端部５１の下面に接合されることにより、フック部材６ａが着用者に対して露出することがより確実に防止される。また、補助吸収具７のバックシート７２３の外面が、プラスチックフィルム等のフック部材６ａと係合不能な材料により形成されている場合であっても、フック部材６ａにより補助吸収具７を固定することができる。一方、図８に示す吸収性物品１ｂでは、フック部材６ａがトップシート２１上に接合されることにより、吸収性物品１ｃに比べて吸収性物品１ｂの製造を簡素化することができる。
【００６５】
本発明の実施の形態および関連技術では、様々な変更が可能である。
【００６６】
図７に示す吸収性物品１ｂでは、外装シート４が省略されるとともに外装シート４に代えてバックシート２３が吸収コア２２の周囲に大きく広がる構造とされてもよい。この場合、トップシート２１の長手方向の両側に配置されたエンドシート５は、バックシート２３に直接接合されてもよく、トップシート２１を介してバックシート２３に間接的に接合されてもよい（図１０に示す吸収性物品１ｃにおいても同様）。
【００６７】
上述の吸収性物品では、サイドシート３の起立部３４２やエンドシート５の端部５１が、フック部材を間に挟んでトップシート２１に対向する部分被覆シートとされているが、部分被覆シートは必ずしもこれらの部位には限定されず、吸収性物品の他の部位が部分被覆シートとされてもよい。例えば、略矩形のフック部材がトップシート２１上に接合され、フック部材よりも少し大きい略矩形のシート部材の一辺近傍の部位が、フック部材の近傍においてトップシート２１に接合されることにより、当該シート部材が、トップシート２１上にて起倒可能な部分被覆シートとなり、フック部材の被覆専用に利用されてもよい。
【００６８】
吸収性物品では、フック部材の形状は略矩形状や帯状には限定されず、吸収性物品の部分被覆シートの形状や吸収性物品の内側に取り付けられる補助吸収具の形状等に合わせて様々に変更されてよい。また、フック部材として、面ファスナ以外の様々な部材が利用されてもよい。
【００６９】
上記実施の形態に係る吸収性物品の構造は、着用者からの排泄物を受ける様々な種類の吸収性物品に適用されてもよい。
【符号の説明】
【００７０】
１，１ａ〜１ｃ  吸収性物品
５  エンドシート
６，６ａ  フック部材
７  補助吸収具
２１  トップシート
２２  吸収コア
２３  バックシート
３２ａ，３２ｂ，２５  弾性部材
３４  側壁部
５１  端部
５３  第２シート
３４１  側壁端部
３４２  起立部
３５２  第２シート
【図１】
0005528032.tif 000002
【図２】
0005528032.tif 000003
【図３】
0005528032.tif 000004
【図４】
0005528032.tif 000005
【図５】
0005528032.tif 000006
【図６】
0005528032.tif 000007
【図７】
0005528032.tif 000008
【図８】
0005528032.tif 000009
【図９】
0005528032.tif 000010
【図１０】
0005528032.tif 000011